(57)【要約】【課題】動作インターフェイスと無線通信モジュールと制御ユニットとを備える無線マウスを提供する。【解決手段】無線通信モジュールは、コンピュータと電気的に結合された受信器と通信するためものである。動作インターフェイスが第１の特定の長さの時間だけ連続的に押されると、制御ユニットは、無線マウスを制御して省電力モードに入らせる。動作インターフェイスが第２の特定の長さの時間だけ連続的に押されると、制御ユニットは、無線通信モジュールと受信器とを通して、無線マウスの個体認識をする。【選択図】図２Ｂ
2005267645.tif 000002
【特許請求の範囲】
【請求項１】
動作インターフェイスと、
前記動作インターフェイスに電気的に結合された制御ユニットと
を備えた無線マウスにおいて、
前記動作インターフェイスが第１の特定の長さの時間だけ連続的に押された時に、前記制御ユニットは、前記無線マウスを省電力モードに入るように制御することを特徴とする無線マウス。
【請求項２】
前記動作インターフェイスは、３つのボタンを含み、
前記３つのボタンが、第１の特定の長さの時間だけ同時に連続的に押されると、制御ユニットは、無線マウスを省電力モードに入るように制御することを特徴とする請求項１記載の無線マウス。
【請求項３】
前記動作インターフェイスは、３つのボタンを含み、
前記３つのボタンの内のいずれか２つが、第１の特定の長さの時間だけ同時に連続的に押されると、制御ユニットは、無線マウスを省電力モードに入るように制御することを特徴とする請求項１記載の無線マウス。
【請求項４】
前記動作インターフェイスは、３つのボタンを含み、
前記３つのボタンの内のいずれか１つが、第１の特定の長さの時間だけ同時に連続的に押されると、制御ユニットは、無線マウスを省電力モードに入るように制御することを特徴とする請求項１記載の無線マウス。
【請求項５】
制御ユニットに電気的に結合された無線通信モジュールをさらに含み、
前記無線通信モジュールは、コンピュータに電気的に結合された受信器と通信するためのものであり、
前記動作インターフェイスが、第２の特定の長さの時間だけ連続的に押されると、制御ユニットは、無線通信モジュールと受信器とを通して無線マウスの個体認識をすることを特徴とする請求項１記載の無線マウス。
【請求項６】
前記動作インターフェイスは、３つのボタンを含み、
前記３つのボタンが、第２の特定の長さの時間だけ同時に連続的に押されると、制御ユニットは、無線通信モジュールと受信器とを通して無線マウスの個体認識をすることを特徴とする請求項５記載の無線マウス。
【請求項７】
前記動作インターフェイスは、３つのボタンを含み、
前記３つのボタンの内のいずれか２つが、第２の特定の長さの時間だけ同時に連続的に押されると、制御ユニットは、無線通信モジュールと受信器とを通して無線マウスの個体認識をすることを特徴とする請求項５記載の無線マウス。
【請求項８】
前記動作インターフェイスは、３つのボタンを含み、
前記３つのボタンの内のいずれか１つが、第２の特定の長さの時間だけ連続的に押されると、制御ユニットは、無線通信モジュールと受信器とを通して無線マウスの個体認識をすることを特徴とする請求項５記載の無線マウス。
【請求項９】
前記第１の特定の長さの時間は、前記第２の特定の長さの時間よりも長いことを特徴とする請求項５記載の無線マウス。
【請求項１０】
前記第１の特定の長さの時間は、前記第２の特定の長さの時間よりも短いことを特徴とする請求項５記載の無線マウス。
【請求項１１】
無線マウスのシフト信号を検知するためのシフト検出モジュールと、
制御ユニット及び電源及びシフト検出モジュールに電気的に結合された電力切り替えユニットと
をさらに備え、
動作インターフェイスが第１の特定の長さの時間だけ連続的に押されると、制御ユニットは、電力切り替えユニットを制御してシフト検出モジュールの電力を切り、無線マウスは省電力モードに入ることを特徴とする請求項１記載の無線マウス。
【請求項１２】
動作インターフェイスと、
コンピュータに電気的に結合された受信器と通信するための無線通信モジュールと、
動作インターフェイス及び無線通信モジュールに電気的に結合された制御ユニットと
を備え、
前記動作インターフェイスが特定の長さの時間だけ同時に連続的に押されると、前記制御ユニットは、無線モジュールと受信器とを通して、無線マウスの個体認識をすることを特徴とする無線マウス。
【請求項１３】
前記動作インターフェイスは、３つのボタンを含み、
前記３つのボタンが特定の長さの時間だけ同時に連続的に押されると、前記制御ユニットは、無線モジュールと受信器とを通して、無線マウスの個体認識をすることを特徴とする請求項１２記載の無線マウス。
【請求項１４】
前記動作インターフェイスは、３つのボタンを含み、
前記３つのボタンの内のいずれか２つが特定の長さの時間だけ同時に連続的に押されると、前記制御ユニットは、無線モジュールと受信器とを通して、無線マウスの個体認識をすることを特徴とする請求項１２記載の無線マウス。
【請求項１５】
前記動作インターフェイスは、３つのボタンを含み、
前記３つのボタンの内のいずれか１つが特定の長さの時間だけ連続的に押されると、前記制御ユニットは、無線モジュールと受信器とを通して、無線マウスの個体認識をすることを特徴とする請求項１２記載の無線マウス。
【請求項１６】
動作インターフェイスを含んだ無線マウスの省電力方法において、
前記方法は、
動作インターフェイスを第１の特定の長さの時間だけ連続的に押す段階と、
無線マウスを省電力モードに入るように制御する段階と
を備えることを特徴とする方法。
【請求項１７】
前記動作インターフェイスは、３つのボタンを含み、
前記動作インターフェイスを第１の特定の長さの時間だけ連続的に押す段階は、さらに、
３つのボタンを第１の特定の長さの時間だけ同時に押す段階を備えることを特徴とする請求項１６記載の方法。
【請求項１８】
前記動作インターフェイスは、３つのボタンを含み、
前記動作インターフェイスを第１の特定の長さの時間だけ連続的に押す段階は、さらに、
３つのボタンの内のいずれか２つを、第１の特定の長さの時間だけ同時に押す段階を備えることを特徴とする請求項１６記載の方法。
【請求項１９】
前記動作インターフェイスは、３つのボタンを含み、
前記動作インターフェイスを第１の特定の長さの時間だけ連続的に押す段階は、さらに、
３つのボタンの内のいずれか１つを、第１の特定の長さの時間だけ押す段階を備えることを特徴とする請求項１６記載の方法。
【請求項２０】
前記無線マウスは、さらに、電力切り替えユニットと、無線マウスのシフト信号を検知するためのシフト検出モジュールとを備え、
前記無線マウスを省電力モードに入るように制御する段階は、電力切り替えユニットを制御してシフト検出モジュールの電力を切る段階をさらに備えることを特徴とする請求項１６記載の方法。
【請求項２１】
前記無線マウスは、さらに、コンピュータに電気的に結合された受信器と通信するための無線通信モジュールを含み、前記方法は、さらに、
動作インターフェイスを第２の特定の長さの時間だけ連続的に押す段階と、
無線通信モジュールと受信器とを通して、無線マウスの個体認識をする段階と
を備えることを特徴とする請求項１６記載の方法。
【請求項２２】
前記第１の特定の長さの時間は、前記第２の特定の長さの時間よりも長いことを特徴とする請求項２１記載の方法。
【請求項２３】
前記第１の特定の長さの時間は、前記第２の特定の長さの時間よりも短いことを特徴とする請求項２１記載の方法。
【請求項２４】
前記動作インターフェイスは、３つのボタンを含み、
前記動作インターフェイスを第２の特定の長さの時間だけ連続的に押す段階は、さらに、
３つのボタンを第１の特定の長さの時間だけ同時に連続的に押す段階を備えることを特徴とする請求項２１記載の方法。
【請求項２５】
前記動作インターフェイスは、３つのボタンを含み、
前記動作インターフェイスを第２の特定の長さの時間だけ連続的に押す段階は、さらに、
３つのボタンの内のいずれか２つを、第２の特定の長さの時間だけ同時に連続的に押す段階を備えることを特徴とする請求項２１記載の方法。
【請求項２６】
前記動作インターフェイスは、３つのボタンを含み、
前記動作インターフェイスを第２の特定の長さの時間だけ連続的に押す段階は、さらに、
３つのボタンの内のいずれか１つを、第２の特定の長さの時間だけ連続的に押す段階を備えることを特徴とする請求項２１記載の方法。
【請求項２７】
無線マウスの個体認識を動作させるための方法において、
前記無線マウスは、動作インターフェイスと、コンピュータに電気的に結合された受信器と通信するための無線通信モジュールとを含み、
前記方法は、
前記動作インターフェイスを特定の長さの時間だけ押す段階と、
無線通信モジュールと受信器とを通して、無線マウスの個体認識をする段階と
を備えることを特徴とする方法。
【請求項２８】
前記動作インターフェイスは、３つのボタンを含み、
前記動作インターフェイスを特定の長さの時間だけ押す段階は、さらに、３つのボタンを特定の長さの時間だけ同時に連続的に押す段階を備えることを特徴とする請求項２７記載の方法。
【請求項２９】
前記動作インターフェイスは、３つのボタンを含み、
前記動作インターフェイスを特定の長さの時間だけ連続的に押す段階は、さらに、３つのボタンの内いずれか２つを特定の長さの時間だけ同時に連続的に押す段階を備えることを特徴とする請求項２７記載の方法。
【請求項３０】
前記動作インターフェイスは、３つのボタンを含み、
前記動作インターフェイスを特定の長さの時間だけ連続的に押す段階は、さらに、３つのボタンの内いずれか１つを特定の長さの時間だけ連続的に押す段階を備えることを特徴とする請求項２７記載の方法。
【発明の詳細な説明】
【技術分野】
【０００１】
本発明は、広く無線マウスに関し、より特化して、動作インターフェイスが特定の時間の長さだけ連続的に押された時に、省電力モードに入るか、個体の認識を実行する無線マウスに関する。
【０００２】
本願は、２００４年３月１８日出願の特許文献１の利益を主張し、その主要部分をここに参考のために組み入れる。
【背景技術】
【０００３】
図１は、従来の無線入力機器の図である。図１において、無線入力機器は、コンピュータ３と受信器１と無線マウス２とを備えている。受信器１は、ＵＳＢのようなコンピュータインターフェイスにリンクされる。無線マウス２によるカーソル信号或いはクリック信号は、受信器１を通してコンピュータ３へ送信される。現在では、無線マウスは、市場において人気を獲得しつつある。しかし、無線マウスは、非常に電力を消費するので、使用者に余分に電池を購入させる。従って、無線マウスの電力消費の問題にどのように取り組みかは、解決しなくてはならない切迫した課題である。従来の技術は、追加のスイッチ４を無線マウスの底部或いは側部に設けることで、省電力の目的を達成している。スイッチ４は、使用者がしばらく無線マウスを使用しない時に、無線マウス２の電源を落とすのに使用される。しかし、この方法は、使用者に不便を掛けるし、例えばスイッチ４のような追加の部品を必要とする。
【０００４】
従来の技術では、無線マウスの省電力機器が、特許文献２に開示される。省電力機器は、スイッチとキーボードを含んでいる。無線マウスがしばらくの間使用されない時は、無線マウスは、割り込みをかけて、スリープモードに入る。もし使用者が、マウスを使用しキーボードに触れたい時は、キーが押され、スイッチが動作して割り込みを解除する。こうして、無線マウスは、再び動作モードに入る。従って、使用者は、いかなる時も、動作モードからスリープモードへ、手動で無線マウスを切り替えることはできない。そのマウスも、依然、電力消費の問題を抱えている。
【０００５】
図１に示すように、従来技術による無線マウスは、特別なボタン５を使って、無線マウス２と受信器１の間でＩＤをリンクする処理を実行する。ＩＤをリンクする処理によって、無線マウス２と受信器１は、様々な無線マウスが同じ周波数を共有する時に起こる妨害の問題を解決するために、識別コード（ＩＤ）による無線リンクと認識とを生成することができる。しかし、上述の方法は、使用者に不便を掛け、例えばボタン５のような追加部品を必要とする。
【０００６】
【特許文献１】台湾特許出願第９３１０７３５８号明細書
【特許文献２】米国特許第２００３０１９７６８３号明細書
【発明の開示】
【課題を解決するための手段】
【０００７】
従って、本発明の目的は、使用者に便利に使える無線マウスを提供し、無線マウスを省電力モードに入らせることができるようにすることである。本発明は、使用者が無線マウスと受信器の間でＩＤをリンクする処理を便利に実行できるような無線マウスを提供する。
【０００８】
本発明の目的によると、動作インターフェイスと制御ユニットを備えた無線マウスが提供される。動作インターフェイスがある長さの時間だけ連続的に押された時に、制御ユニットは、無線マウスを省電力モードに入るように制御する。
【０００９】
本発明の他の目的によると、無線通信モジュールと動作インターフェイスと制御ユニットを備えた無線マウスが提供される。無線通信モジュールは、コンピュータに電気的に結合された受信器と通信するためのものである。動作インターフェイスが、ある長さの時間だけ連続的に押されると、制御ユニットは、無線通信モジュールと受信器とを通して、無線マウスの個体認識をする。
【００１０】
本発明のさらに他の目的によると、無線マウスの省電力方法が提供される。無線マウスは、動作インターフェイスを備える。本発明によると、最初に、動作インターフェイスは、ある長さの時間だけ連続的に押される。その後、無線マウスは、省電力モードに入るように制御される。
【００１１】
本発明のさらに他の目的によると、無線マウスの個体認識を動作させる方法が提供される。無線マウスは、動作インターフェイスと、コンピュータに電気的に結合される受信器と通信するための無線通信モジュールを備える。本方法によると、最初に、動作インターフェイスが、或る長さの時間だけ連続的に押される。その後、無線マウスの個体認識が、無線通信モジュールと受信器とを通して行われる。
【００１２】
本発明の他の目的と特徴と利点とは、以下の好ましくはあるが制限のない実施形態の詳細な説明から明らかになるであろう。以下の説明は、添付の図面を参照して行われる。
【発明を実施するための最良の形態】
【００１３】
［第１実施形態］
図２Ａ〜Ｂを参照すると、図２Ａは、本発明の第１実施形態による無線マウスの図であり、図２Ｂは、本発明の第１実施形態による無線マウスのブロック図である。本発明は、シフト検出モジュール１１と、制御ユニット１２と、電源１８に電気的に結合される電力切り替えユニット１３と、コンピュータ（図示せず）に電気的に結合される受信器（図示せず）と通信するための無線通信モジュール１４と、動作インターフェイスを備えた無線マウス１０を提供する。本実施形態の動作インターフェイスは、第１ボタン１５と第２ボタン１６と第３ボタン１７によって体現される。シフト検出モジュール１１は、無線マウスが作業面上を動いた時に、無線マウス１０のシフト信号（図示せず）を検知するためのものである。制御ユニット１２は、第１ボタン１５と、第２ボタン１６と、第３ボタン１７と、無線通信ユニット１４と、電力切り替えユニット１３とに、電気的に結合する。制御ユニットは、電力切り替えユニット１３を制御するためのものである。無線通信モジュール１４は、シフト信号を、コンピュータに電気的に結合された受信器へ送信するためのものである。そうして、コンピュータに電気的に結合するモニター（図示せず）の画面上のカーソルは、シフト信号に従って動くことができる。第１ボタン１５と第２ボタン１６と第３ボタン１７は、それぞれ、制御ユニット１２に電気的に結合する。本実施形態において、第１ボタン１５と第２ボタン１６と第３ボタン１７は、無線マウス１０のクリックボタンの中に組み込まれ、そして、無線マウス１０に特別なボタンを購入する必要は無い。その上、第２ボタン１６は、回して押すことのできるローラー（roller）型のボタンで良い。電力切り替えユニット１３は、電力をシフト検出モジュール１１に供給するか否かを選択的に選ぶことができる。本実施形態において、第１ボタン１５と第２ボタン１６と第３ボタン１７の内の少なくとも１つがある長さの時間だけ連続的に押されると、制御ユニット１２は、省電力モード動作信号Ｘ１を電力切り替えユニット１３へ送る。電力切り替えユニット１３は、無線マウス１０が省電力モードに入るように、シフト検出モジュール１１の電力を切る。無線マウス１０が省電力モードにある時、第１ボタン１５と第２ボタン１６と第３ボタン１７の内の１つが押されて、制御ユニット１２は、動作モード再開信号Ｘ２を電力切り替えユニット１３へ送り、電力切り替えユニット１３は、動作モードに入るために、無線マウス１０のシフト検出モジュール１１に対する電力を復旧する。無線マウス１０が動作モードに入ると、使用者は無線マウス１０を正常に動作させることができる。
【００１４】
図３は、本発明の第１実施形態による無線マウスの省電力方法のフローチャートである。本発明は、無線マウス１０の省電力方法を提供する。図２Ａ〜２Ｂを参照すると、省電力モードは、以下の段階を備えている。最初に、段階３１において、無線マウス１０は動作モードにある。そして、段階３２において、無線マウス１０は、第１ボタン１５と第２ボタン１６と第３ボタン１７の内の少なくとも１つが、第１の特定の長さの時間だけ押されたかどうかを連続的に検出或いは決定する。１つ或いは２つのボタンが同時に第１の特定の長さの時間だけ押されると、段階３３に進む。段階３３において、制御ユニット１２は、省電力モード動作信号Ｘ１を電力切り替えユニット１３に送り、電力切り替えユニット１３は、シフト検出モジュール１１の電力を切る。無線マウス１０は、省電力モードに入る。無線マウス１０が省電力モードにあるとき、無線マウス１０は、第１ボタン１５と第２ボタン１６と第３ボタン１７の内の少なくとも１つが押されたか、或いはシフト検出モジュール１１が他のシフト信号を出力したかどうかを検出あるいは決定する。１つ或いは２つ以上のボタンが押されるか、シフト検出モジュール１１が他のシフト信号を出力すると、段階３１に進む。段階３１において、制御ユニット１２は、動作モード再開信号Ｘ２を電力切り替えユニット１３に送り、電力切り替えユニット１３は、シフト検出モジュール１１１１の電力を復旧する。無線マウス１０は、動作モードに入る。
【００１５】
さらに、本実施形態において、シフト検出モジュール１１は、Agilent光モジュール、すなわち Optical 2030型の集積回路（ＩＣ）を採用することができる。Optical 2030型のＩＣは、無線マウス１０が動作モードにあるときは、非常に電力を消費するので、もし本実施形態の省電力方法が採用されると、無線マウス１０の電力消費は減るであろうし、無線マウス１０の持続時間は延びるであろう。
【００１６】
［第２実施形態］
図４は、本発明の第２実施形態による無線マウスのブロック図である。本実施形態の無線マウス２０と第１実施形態の無線マウス１０との違いは、無線マウス２０が電力切り替えユニット１３と電源１８を持っていない点である。本実施形態の無線マウス２０の殆どの部品は、第１実施形態の無線マウス１０のものと近く、殆どの部品で使用される番号は同じものにした。無線マウス２０は、シフト検出モジュール１１の休眠モード動作機能を使用して、無線マウス２０の休眠モードに切り替え、省電力の効果が達成できる。第１ボタン１５と第２ボタン１６と第３ボタン１７の内の少なくとも１つが、第２の特定の長さの時間だけ連続的に押されると、シフト検出モジュール１１が第１休眠モードに入ることができるように、制御ユニット１２は、第１休眠モード動作信号Ｘ３をシフト検出モジュール１１に送る。第２の特定の長さの時間は、第１実施形態の第１の特定の長さの時間とは異なる。
【００１７】
さらに、無線通信モジュール１４の本来の休眠モード機能を使用することができる。第１ボタン１５と第２ボタン１６と第３ボタン１７の内の少なくとも１つが、第３の特定の長さの時間だけ連続的に押されると、無線通信モジュール１４が第２休眠モードに入るために、制御ユニット１２は、第２休眠モード動作信号Ｘ４を無線通信モジュール１４へ送る。第３の特定の長さの時間は、第１実施形態の第１の特定の長さの時間および第２の特定の長さの時間とは異なる。上記方法によって、使用者は、無線マウス２０に、省電力モードにより便利に入らせることができる。
【００１８】
［第３実施形態］
図５には、本発明の第３実施形態による無線マウスのブロック図が示される。図５において、無線マウス３０は、制御ユニット２２と、制御ユニット２２に電気的に結合される無線通信モジュール２４と、それぞれが制御ユニット２２に電気的に結合される第１ボタン２５及び第２ボタン２６及び第３ボタン２７とを含んでいる。無線通信モジュール２４は、コンピュータ（図示せず）を電気的に結合した受信器２８と通信するためのものである。第１ボタン２５と第２ボタン２６と第３ボタン２７の内の少なくとも１つが、第４の特定の長さの時間だけ連続的に押されると、制御ユニット２２は、無線通信モジュール２４と受信器２８とを通して、ＩＤをリンクする処理を実行する。言い換えると、制御ユニット２２は、無線通信モジュール２４と受信器２８とを通して、無線マウス３０の個体認識をする。第４の特定の長さの時間は、第１実施形態の第１の特定の長さの時間、および第２の特定の長さの時間、および第２実施形態の第３の特定の長さの時間とは異なる。
【００１９】
図６は、本発明の第３実施形態による無線マウスのＩＤのリンクを動作させる方法のフローチャートである。本発明は、無線マウス３０と受信器２８に対する、ＩＤのリンクを動作させる方法を提供する。この動作させる方法は、いくつかの段階を備える。最初に、段階６１において、無線マウス３０は、動作モードにある。次に、段階６２において、無線マウス３０は、第１ボタン２５と第２ボタン２６と第３ボタン２７の内の少なくとも１つが、第４の特定の長さの時間だけ連続的に押されるかどうかを連続的に検出或いは決定する。１つ或いは２つ以上のボタンが第４の特定の長さの時間だけ連続的に押されると、段階６３に進む。ＩＤのリンクは、制御ユニット２２と受信器２８の間で、無線通信モジュール２４を通して実行される。言い換えると、１つ或いは２つ以上のボタンが、第４の特定の長さの時間だけ同時に押されると、制御ユニット２２は、無線通信モジュール２４と受信器２８を通して、無線マウス３０の個体認識をする。
【００２０】
本発明の上記実施形態に開示された無線マウスは、使用者が動作させ、無線マウスが省電力モードに入るのに便利な方法を提供する。本発明は、さらに、使用者が、便利に無線マウスと受信器との間でＩＤのリンクを実行できる無線マウスを提供する。
【００２１】
本発明を例を取って実施形態によって説明したが、本発明はそれらに制約されるものでは無いことを理解されたい。反対に、様々な変更と類似の装置を網羅することを意図しており、従って、添付の特許請求の範囲は、そのような変更と類似の装置と方法の全てを拡大するために、最も広い解釈を許容するはずである。
【図面の簡単な説明】
【００２２】
【図１】従来の無線入力機器の図である。
【図２Ａ】本発明の第１実施形態による無線マウスの図である。
【図２Ｂ】本発明の第１実施形態による無線マウスのブロック図である。
【図３】本発明の第１実施形態による無線マウスの省電力方法のフローチャートである。
【図４】本発明の第２実施形態による無線マウスのブロック図である。
【図５】本発明の第３実施形態による無線マウスのブロック図である。
【図６】本発明の第３実施形態による無線マウスのＩＤのリンクの動作方法のフローチャートである。
【符号の説明】
【００２３】
１０…無線マウス
１１…シフト検出モジュール
１２，２２…制御ユニット
１３…電力切り替えユニット
１４，２４…無線通信モジュール
１５，２５…第１ボタン
１６，２６…第２ボタン
１７，２７…第３ボタン
１８…電源
２８…受信器
【図１】
2005267645.tif 000003
【図２Ａ】
2005267645.tif 000004
【図２Ｂ】
2005267645.tif 000005
【図３】
2005267645.tif 000006
【図４】
2005267645.tif 000007
【図５】
2005267645.tif 000008
【図６】
2005267645.tif 000009
【外国語明細書】
2005267645.tif 000010
2005267645.tif 000011
2005267645.tif 000012
2005267645.tif 000013
2005267645.tif 000014
2005267645.tif 000015
2005267645.tif 000016
2005267645.tif 000017
2005267645.tif 000018
2005267645.tif 000019
2005267645.tif 000020
2005267645.tif 000021
2005267645.tif 000022
2005267645.tif 000023
2005267645.tif 000024
2005267645.tif 000025
2005267645.tif 000026
2005267645.tif 000027
2005267645.tif 000028
2005267645.tif 000029
2005267645.tif 000030
2005267645.tif 000031
2005267645.tif 000032
2005267645.tif 000033
2005267645.tif 000034
2005267645.tif 000035